(57)【特許請求の範囲】
【請求項１】
かご内カメラとかご内表示装置が設けられたエレベーターかごおよび当該エレベーターを制御するエレベーター制御装置を含むエレベーターと、管理者が操作する端末装置と、専用ホームページを提供するウェブサーバーを、ネットワークを介して接続して構成されるエレベーターの管理システムであって、
前記エレベーター制御装置は、
特定の表示条件が成立した場合に前記かご内表示装置への表示が許可されるかご内表示画像を前記特定の表示条件と対応付けて記録する表示内容・条件記録部と、
前記エレベーターの制御情報を管理するエレベーター制御情報管理部と、
時刻を計時する時計部と、
前記エレベーターの制御情報および前記時計部で計時された現在の時刻に基づいて、前記特定の表示条件が成立したか否かを判定する表示条件成立判定部と、
前記表示条件成立判定部により前記特定の表示条件が成立したと判定された場合に、前記成立した特定の表示条件に対応する前記かご内表示画像を前記かご内表示装置に表示するように制御するかご内表示装置制御部と、
前記かご内表示画像が表示された場合に、前記かご内表示装置の表示画像を前記かご内カメラで撮影するように前記かご内カメラの動作を制御するかご内カメラ制御部と、
前記かご内カメラで撮影した表示画像を録画する表示画像録画部と、
前記表示画像録画部が録画した前記表示画像を前記ウェブサーバーにアップロードするデータ送受信部を有し、
前記端末装置から前記専用ホームページにアクセスすることにより、前記アップロードされた前記表示画像を閲覧可能としたことを特徴とするエレベーターの管理システム。
【請求項２】
請求項１に記載のエレベーターの管理システムにおいて、
前記表示内容・条件記録部には、複数の前記特定の表示条件と、複数の前記かご内表示画像が対応付けして記録されており、
前記かご内表示装置制御部は、前記表示条件成立判定部により前記複数の特定表示条件のうちの１つが成立したと判定された場合に、前記複数のかご内表示画像の中から前記成立した１つの特定表示条件に対応する前記かご内表示画像を前記かご内表示装置に表示するように制御することを特徴とするエレベーターの管理システム。
【請求項３】
請求項１または２に記載のエレベーターの管理システムにおいて、
前記かご内表示装置制御部は、前記エレベーターかごの昇降時に前記かご内表示画像の表示を開始し、所定時間経過後に前記かご内表示画像の表示を終了するように制御することを特徴とするエレベーターの管理システム。
【請求項４】
請求項１ないし３のいずれか１項に記載のエレベーターの管理システムにおいて、
前記端末装置から前記専用ホームページを介して、前記かご内表示画像および前記特定の表示条件の少なくとも一方を変更可能としたことを特徴とするエレベーターの管理システム。
【請求項５】
請求項１ないし４のいずれか１項に記載のエレベーターの管理システムにおいて、
前記かご内表示画像は、前記エレベーターが設置されている建屋に関係する固有の情報を含む画像であることを特徴とするエレベーターの管理システム。
【発明の詳細な説明】
【技術分野】
【０００１】
本発明は、エレベーターの管理システムに関する。
【背景技術】
【０００２】
近年、エレベーターのかご内には、エレベーターが設置されているビルの利用状況に併せて、エレベーターの運行状態などを表示するかご内表示装置が設けられる傾向にある。
そして、ビル設備のオーナー（以下、オーナーと略記する）が、自分のパソコンからインターネットを通じて、かご内表示装置によりエレベーターの運行状態や可動履歴状況などが確認できる管理システムが提案されている（特許文献１参照）。
【先行技術文献】
【特許文献】
【０００３】
【特許文献１】特開２００２−２８８３０６号公報
【発明の概要】
【発明が解決しようとする課題】
【０００４】
しかし前記提案は、オーナーのパソコンからエレベーターの運行状態や可動履歴状況などが確認できるだけのものであり、オーナー自らが作製してエレベーターの乗客へ伝えたい、例えば「今日は燃えるゴミの日です。」、「節電をお願いします。」、「冠水による閉じ込め防止のため、○月×日は、エレベーターを休止します。」などのようなお知らせ、注意喚起あるいはイベントなどの各種案内の情報を、かご内表示装置を利用して乗客一般に広く連絡するという配慮はなかった。
【０００５】
本発明の目的は、エレベーター管理者などが自ら設定したかご内表示画像を記録してかご内表示装置で表示したり、またそのかご内表示画像をエレベーター管理者などが容易に確認することができる、利便性に優れたエレベーターの管理システムを提供することにある。
【課題を解決するための手段】
【０００６】
前記目的を達成するために本発明は、かご内カメラとかご内表示装置が設けられたエレベーターかごおよび当該エレベーターを制御するエレベーター制御装置を含むエレベーターと、管理者が操作する端末装置と、専用ホームページを提供するウェブサーバーを、ネットワークを介して接続して構成されるエレベーターの管理システムであって、前記エレベーター制御装置は、特定の表示条件が成立した場合に前記かご内表示装置への表示が許可されるかご内表示画像を前記特定の表示条件と対応付けて記録する表示内容・条件記録部と、前記エレベーターの制御情報を管理するエレベーター制御情報管理部と、時刻を計時する時計部と、前記エレベーターの制御情報および前記時計部で計時された現在の時刻に基づいて、前記特定の表示条件が成立したか否かを判定する表示条件成立判定部と、前記表示条件成立判定部により前記特定の表示条件が成立したと判定された場合に、前記成立した特定の表示条件に対応する前記かご内表示画像を前記かご内表示装置に表示するように制御するかご内表示装置制御部と、前記かご内表示画像が表示された場合に、前記かご内表示装置の表示画像を前記かご内カメラで撮影するように前記かご内カメラの動作を制御するかご内カメラ制御部と、前記かご内カメラで撮影した表示画像を録画する表示画像録画部と、前記表示画像録画部が録画した前記表示画像を前記ウェブサーバーにアップロードするデータ送受信部を有し、前記端末装置から前記専用ホームページにアクセスすることにより、前記アップロードされた前記表示画像を閲覧可能としたことを特徴とする。
【発明の効果】
【０００７】
本発明は前述のような構成になっており、エレベーター管理者などが自ら設定したかご内表示画像を記録してかご内表示装置で表示したり、またそのかご内表示画像をエレベーター管理者などが容易に確認することができる、利便性に優れたエレベーターの管理システムを提供することができる。
【図面の簡単な説明】
【０００８】
【図１】本発明の実施形態に係るかご内表示画像の管理システムテムの構成を示す概略構成図である。
【図２】本発明の実施形態において、オーナーのパソコンから設定される表示許可条件とその表示内容の一例を示す図である。
【図３】本発明の実施形態に係るエレベーター制御装置のフローチャートである。
【発明を実施するための形態】
【０００９】
以下、本発明の実施形態について図面を用いて説明する。図１は、本発明の実施形態に係るかご内表示画像の管理システムテムの構成を示す概略構成図である。
【００１０】
本発明の実施形態に係るエレベーターの管理システムは図１に示すように、エレベーター１００と、オーナーが操作するオーナーパソコン（端末装置）２００と、専用ホームページ１５を提供するウェブサーバー３００を、ネットワーク４００を介して相互に接続して構成されている。
【００１１】
エレベーター１００は、乗客が希望の階に移動するために乗り込むエレベーターかご（以下、かごと略記することもある）１と、そのかご１を駆動制御するためのエレベーター制御装置４が設けられている。
【００１２】
前記かご１には、それの内部に設けられて主に防犯を目的としてかご１内の状況を撮影して録画するかご内カメラ２と、かご１内に設けられてかご１の現在の位置や運行方向ならびにカメラ映像などの任意の画像を表示する例えば液晶表示装置からなるかご内表示装置３が備えられている。
【００１３】
また、かご１からの運行に関係する各種信号を入力して、かご１の運行などを制御するとともに、かご内表示装置３に任意の画像を表示させる機能を備えたエレベーター制御装置４が設けられている。
【００１４】
このエレベーター制御装置４には、エレベーター制御情報管理手段５、表示内容・条件記録手段６、現在時刻カウント手段７、表示条件成立可否判定手段８、かご内画像表示変更手段９、かご内表示画像録画手段１０、表示結果記録手段１１ならびにデータ送受信手段１２などが備えられている。これら各手段５〜１２は互に接続されているとともに、かご内カメラ２ならびにかご内表示装置３ともそれぞれ接続されて、相互に信号の送受信がなされる。
【００１５】
前記エレベーター制御情報管理手段５は、例えばかご１の運行方向、上昇や下降の回数、階床での着床回数などかご１の運行に関する各種制御情報を受信して管理する手段である。このエレベーター制御情報管理手段５は、請求項１に記載のエレベーター制御情報管理部に相当する。
【００１６】
前記表示内容・条件記録手段６は、かご内表示装置３に表示する内容（表示画像）や、その内容を表示するための表示許可条件（例えば設定した画像が表示可能な時間帯やエレベーター（かご１）の走行開始状態などで、詳細は後で説明する）を記録する手段である。この表示内容・条件記録手段６は、請求項１に記載の表示内容・条件記録部に相当する。
【００１７】
前記現在時刻カウント手段７は、現在の時刻を把握するためにエレベーター制御装置４の端末内で時刻をカウントするタイマーである。この現在時刻カウント手段７は、請求項１に記載の計時部に相当する。
【００１８】
前記表示条件成立可否判定手段８は、表示内容・条件記録手段６に記録されている表示許可条件と、エレベーター制御情報管理手段５からのエレベーターの制御情報と、現在時刻カウント手段７からの現在時刻に基づいて、表示許可条件の成立の可否を判定する手段である。この表示条件成立可否判定手段８は、請求項１に記載の表示条件成立判定部に相当する。
【００１９】
前記かご内画像表示変更手段９は、表示条件成立可否判定手段８において表示可能と判定した場合、通常の画像から表示条件が成立した画像に切り替えて（変更して）かご内表示装置３に表示する手段である。このかご内画像表示変更手段９は、請求項１に記載のかご内表示装置制御部に相当する。
【００２０】
前記かご内表示画像録画手段１０は、かご内画像表示変更手段９において表示変更した当該画像をそれの表示時にかご内カメラ２を利用して録画する手段である。このかご内表示画像録画手段１０は、請求項１に記載のかご内カメラ制御部に相当する。
前記表示結果記録手段１１は、かご内表示画像データと、そのかご内表示画像データが録画済みか否かを記録する手段である。この表示結果記録手段１１は、請求項１に記載の表示画像録画部に相当する。
【００２１】
前記データ送受信手段１２は、ネットワーク４００（図１参照）を介して、かご内表示装置３に表示する画像および表示許可条件を送受信したり、表示結果記録手段１１によって記録した静止画像または動画像をウェブサーバー３００にアップロードする手段である。このデータ送受信手段１２は、請求項１に記載のデータ送受信部に相当する。
【００２２】
なお、エレベーター制御装置４からかご内表示装置３に指定された画像を表示する時限は、原則としてエレベーターが走行を開始してから一定時間（例えば５秒間程度の短時間）とし、一定時間経過後には、かご内画像表示変更手段９により通常の表示画像（例えばかご１の現在位置や運行方向などの表示）に自動的に戻るようになっている。
【００２３】
また、図１に示すように専用ホームページ１５が設けられており、専用ホームページ１５はネットワーク４００を介して、エレベーター制御装置４ならびにオーナーパソコン２００と接続されている。
【００２４】
専用ホームページ１５をもつウェブサーバー３００には、ホームページ用表示結果記録手段１６とホームページ用表示内容・条件記録手段１７などが備えられている。
前記ホームページ用表示結果記録手段１６は、エレベーター制御装置４から送信されたかご内表示画像を記録して、オーナーパソコン２００から閲覧要求が有った場合には、その表示結果（かご内表示画像）を返答する手段である。
【００２５】
前記ホームページ用表示内容・条件記録手段１７は、オーナーパソコン２００からかご内表示装置３に表示させたい内容および表示許可条件を記録して、それらをエレベーター制御装置４に送信する手段である。この表示許可条件は、請求項１に記載の特定の表示条件に相当する。
ネットワーク４００は、有線、無線の通信回路またはインターネットで構成されている。
【００２６】
図２は、本発明の実施形態において、オーナーパソコン２００から設定される表示許可条件および表示内容の一例を示した図である。この例の場合は、「時間帯」、「エレベーター状態」ならびに「表示内容」が個々に異なる３種類の表示画面が設定されている。これら時間帯やエレベーター状態などの表示許可条件ならびに表示内容は、予め表示内容・条件記録手段６に記録（登録）されている。
【００２７】
具体的には、表示が可能な時間帯が、毎週火曜日の朝５時から７時の間で、かつ、エレベーター（かご１）が１階以外から走行を開始するときという条件で、表示内容が「今日は燃えるゴミの日です。」の表示画面（I）、
【００２８】
表示が可能な時間帯が、毎日の１７時から２０時の間で、かつ、エレベーターが１階から走行を開始するときという条件で、表示内容が「節電にご協力下さい。」の表示画面（II）、
【００２９】
表示が可能な時間帯が８月１日の１日中で、かつ、エレベーターがいずれの階からでも走行を開始するときという条件で、表示内容が「冠水による閉じ込め防止のため、８月２日は、エレベーター休止します。」の表示画面（III）など、乗客へのお願いや連絡事項などの表示画像が予め設定されている。
【００３０】
このように図２に示す実施形態では、複数の表示許可条件と複数の表示画像が記録（登録）されており、その複数の表示許可条件のうち、例えば毎週火曜日の朝５時から７時の間で、かつ、エレベーター（かご１）が１階以外から走行を開始するという条件が成立したと判定されると、「節電にご協力下さい。」という表示画面（II）が表示されるように、表示許可条件と表示画像は対応付けて記録（登録）されている。これは表示画面（I）ならびに表示画面（III）においても同様である。
【００３１】
前述の表示画像のうち「今日は燃えるゴミの日です。」や「冠水による閉じ込め防止のため、８月２日は、エレベーター休止します。」などは、そのエレベーターが設置されている建屋に関係する固有の情報であり、そのような情報がかご内表示装置３を介してエレベーターを利用する乗客に通知される。
【００３２】
これらの表示許可条件や表示画像は、オーナーパソコン２００を使用してオーナーが任意に作製したり、また、それを変更することができる。
【００３３】
例えば表示画面（III）を例にとって時間的な経過を具体的に説明する。
最初、かご内表示装置３は通常の表示（かご１の現在位置や運行方向などの表示）状態になっている。その日が８月１日で、０時から２４時の時間内において、どの階からでもエレベーターが走行開始されると、すなわち予め設定されている「時間帯」と「エレベーター状態」の一連の表示許可条件が成立すると、かご内画像表示変更手段９によりかご内表示装置３の画像は、通常の表示から「冠水による閉じ込め防止のため、８月２日は、エレベーター休止します。」に自動的に切り替えられ、一定時間（本実施形態では５秒間）表示される。
【００３４】
その後、かご内画像表示変更手段９によりかご内表示装置３は通常の表示画面に自動的に戻る。また、同じ日にどの階からでもエレベーターが走行開始されると、かご内表示装置３の画像は「冠水による閉じ込め防止のため、８月２日は、エレベーターを休止します。」に自動的に切り替えられて、一定時間表示され、８月２日以降になるとエレベーター休止の表示は無くなるシステムになっている。
【００３５】
次に図２に示す表示画面（I）をかご内表示装置３に表示させて、そのときの画像を専用ホームページ１５上に記録するまでのかご内表示画像の管理フローについて、図３を用いて説明する。
【００３６】
まず、ステップ（以下、Ｓと略記する）１で、エレベーター制御装置４のエレベーター制御情報管理手段５からの情報により、エレベーターが運行を開始したか否かのチェックを行う。エレベーターが運行を開始した場合（Ｓ１でＹｅｓ）は、Ｓ２に進む。エレベーターが運行を開始していない場合（Ｓ１でＮｏ）は、かご内表示装置３に対して表示画面（I）の表示指示をしないため処理を終了する。
【００３７】
Ｓ２では、表示内容・条件記録手段６および現在時刻カウント手段７において、現在の時刻が表示画面（I）の表示可能な時間帯である火曜日の５時から７時の間であるか否かをチェックする。現在の曜日を含む時刻が表示画面（I）の表示許可条件の時間帯である場合は（Ｓ２でＹｅｓ）、Ｓ３に進む。
【００３８】
現在の時刻が表示画面（I）の表示許可条件の時間帯でない場合、つまり、火曜日の５時から７時の間でない場合は（Ｓ２でＮｏ）、かご内表示装置３に表示画面（I）を表示する時間帯でないため処理を終了する。
【００３９】
Ｓ３では、エレベーター制御情報管理手段５からの情報を得て、現在のエレベーターの運行状態が表示許可条件のエレベーター状態に該当するか否かを、表示条件成立可否判定手段８でチェックする。
【００４０】
そのチェック結果、現在のエレベーターの運行状態が１階からの運行開始状態であれば、表示許可条件に該当していないため（Ｓ３でＮｏ）、かご内表示装置３に表示画面（I）の表示はせずに処理を終了する。
【００４１】
一方、エレベーターが１階以外からの運行開始、例えば５階からの運行開始であれば（Ｓ３でＹｅｓ）、表示条件成立可否判定手段８は表示条件成立として、表示画面（I）『今日は燃えるゴミの日です。』の表示をするようにかご内表示装置３に指令して、その表示を行う（Ｓ４）。
【００４２】
次にＳ５では、表示結果記録手段１１により表示画面（I）の表示画像が記録済みか否かのチェックが行われ、記録済みであれば（Ｓ５でＹｅｓ）、再度記録する必要はないからＳ８に進み、Ｓ８の処理を行った後、処理を終了する。
【００４３】
記録済みでなければ（Ｓ５でＮｏ）Ｓ６に進み、かご内表示画像録画手段１０に対してかご内カメラ２による映像録画指令を出して、かご内表示装置３に表示された表示画面（I）を録画する。録画する画面は、動画の必要はないため静止画像で充分であるが、動画であっても構わない。
【００４４】
Ｓ７では、録画した画像データが、データ送受信手段１２からネットワーク４００を経由して専用ホームページ１５にアップロードされる。これによりホームページ用表示結果記録手段１６に記録され、その後はネットワーク４００を経由して、この記録画像をオーナーパソコン２００から何時でも閲覧することができる。
【００４５】
ついでＳ８において、かご内画像表示変更手段９は現在時刻カウント手段７からの情報により、表示画面（I）の表示指令から一定時間（本実施形態では５秒間）経過したことを確認して、かご内表示装置３の表示を、通常の表示（例えばかご１の現在位置や運行方向などの表示）に戻す指令を行い、処理を終了する。
【００４６】
図３のフローチャートでは表示画面（I）を表示、記録する例を示したが、表示画面（II）あるいは表示画面（III）においても同様の処理がなされる。
【００４７】
このように本発明では、オーナーはオーナーパソコン（端末装置）２００を通して、自ら設定した例えば表示画面（I）、（II）、III）などのかご内表示画像の確認を、専用ホームページ１５をアクセスすることで、何時でも容易に閲覧できる。
【００４８】
また閲覧後に、オーナーパソコン（端末装置）２００を通して、先に設定したかご内表示画像（設定内容）あるいは（ならびに）表示許可条件を変更することも可能であり、このようなことからオーナーパソコン（端末装置）２００の利便性が向上する。
【００４９】
本実施形態では、ビル設備のオーナーがかご内表示画像を設定したり、それを閲覧したりする例を示したが、本発明はこれに限定されるものではなく、例えばビル設備の管理人など他のエレベーター管理者がかご内表示画像を設定したり、それを閲覧したりすることも可能である。
【００５０】
本発明は、前記実施形態に限定されるものではなく、その趣旨を逸脱しない範囲で種々変更して実施することができる。
【符号の説明】
【００５１】
１：エレベーターかご
２：かご内カメラ
３：かご内表示装置
４：エレベーター制御装置
５：エレベーター制御情報管理手段
６：表示内容・条件記録手段
７：現在時刻カウント手段
８：表示条件成立可否判定手段
９：かご内画像表示変更手段
１０：かご内表示画像録画手段
１１：表示結果記録手段
１２：データ送受信手段
１３：インターネット
１４：オーナーパソコン
１５：専用ホームページ
１６：表示結果記録手段
１７：表示内容・条件記録手段
１００：エレベーター
２００：オーナーパソコン（端末装置）
３００：ウェブサーパー
４００：ネットワーク
【図１】
0006276714.tif 000002
【図２】
0006276714.tif 000003
【図３】
0006276714.tif 000004